(57)【要約】      （修正有）【課題】配線作業を行う時等、必要な時にのみコンセント等の配線具を開口に臨む位置に配置される配線装置を備えた天板付き家具において、配線と動作変換機構との干渉を防ぎより広い空間を配線に用いることができるようにする。【解決手段】家具本体たる脚構造体１１と、使用位置から引き出し位置へ移動することによりその上方側と下方側とを連通させる開口２を形成可能な天板１２と、移動可能に設けられる配線装置３と、動作変換機構４と、配線挿通空間Ｓとを具備する天板付き家具である机１において、前記動作変換機構４に、第１アーム４１１とこの第１アーム４１１から突出させて設けられる第２アーム４１２とを有する第１リンクメンバ４１と、一端部をこの第１リンクメンバ４１の第２アーム４１２に接続し、他端部を天板１２側に設けられ前記配線挿通空間Ｓ外に位置する第２の作用点４ｃに接続している第２リンクメンバ４２とを備えさせる。【選択図】図４
2005052495.tif 000002
【特許請求の範囲】
【請求項１】
家具本体と、第１の位置と第２の位置との間を移動可能に前記家具本体に支持され、第１の位置から第２の位置へ移動することによりその上方側と下方側とを連通させる開口を形成可能な天板と、前記開口に臨む位置とその下方の収納位置との間を移動可能に設けられる配線装置と、前記天板の第１の位置から第２の位置への移動動作に連動させて前記配線装置を前記収納位置から前記開口に臨む位置へ移動させる動作変換機構と、前記開口が形成される位置と前記配線装置との間に形成される配線挿通空間とを具備するものであって、
前記動作変換機構が、前記家具本体の所定位置に設定した支点と前記配線装置に設けられる第１の作用点とを接続する第１アームとこの第１アームから突出させて設けられる第２アームとを有する第１リンクメンバと、一端部をこの第１リンクメンバの第２アームに接続し、他端部を天板側に設けられ前記配線挿通空間外に位置する第２の作用点に接続している第２リンクメンバとを備えていることを特徴とする天板付き家具。
【請求項２】
前記第１リンクメンバの前記第２アームを、前記第１アームの第１の作用点側の端部から突出させて設けていることを特徴とする請求項１記載の天板付き家具。
【請求項３】
前記第１リンクメンバの前記第２アームを、前記支点を中心とし、前記支点と前記第１の作用点との間の距離を半径とする円弧に沿う形状に形成していることを特徴とする請求項２記載の天板付き家具。
【請求項４】
前記第１リンクメンバの前記第１アームと、この第１アームに略平行に延伸する第３リンクメンバとを備える平行リンクを形成し、この平行リンクにより前記配線装置を家具本体に対して上下方向に平行移動可能にしていることを特徴とする請求項１、２又は３記載の天板付き家具。
【請求項５】
動作変換機構が、前記天板の下方に配置されて外部から隠蔽されていることを特徴とする請求項１、２、３又は４記載の天板付き家具。
【請求項６】
前記家具本体が、左右１対に設けられて天板を支持する脚体と、前記配線挿通空間と前記脚体の外側方空間とを連通させる配線挿通口とをさらに有することを特徴とする請求項１、２、３、４又は５記載の天板付き家具。
【請求項７】
前記天板の移動に伴い形成される開口と前記配線挿通口とを連通させていることを特徴とする請求項６記載の天板付き家具。
【発明の詳細な説明】
【技術分野】
【０００１】
本発明は、オフィス等で好適に利用され、天板の下方に配線を挿通可能な天板付き家具に関するものである。
【背景技術】
【０００２】
近時のオフィス等におけるＯＡ化の進展に伴って、居住空間には多くの配線類が引き回されるようになっている。このような配線の引き回しは、居住空間に見苦しい状態で露出しがちであり、配線が通路を横断したりする等のオフィスの機能性低下の要因ともなり易い。そこで、このような配線処理に関して床から立ち上げ、或いは壁際にあっては壁から引き込んだ配線を机等の天板下に形成した天板下空間に導いて床から机までの配線の引き回し部分を好適に隠蔽し、前記天板近傍に設けたコンセント等の配線具に接続して、この配線具の差込口にワープロやパソコンを始めとする各種ＯＡ機器を接続して使用することが行われている。
【０００３】
そして、このような配線具の使用の便を向上させつつ、見栄えの向上を同時に図ることのできる態様として、天板を移動させることにより天板の上方側と下方側とを連通させる開口を形成可能にしているとともに、配線作業を行う時等、必要な時にのみこのような配線装置を前記開口に臨む位置に配置し得るような構成が考えられている。
【０００４】
このような構成の一例として、両端部をそれぞれ配線装置及び家具本体に回動可能に取り付けた１対のリンクメンバを備えた平行リンクを有し、この平行リンクにより配線装置を上下方向に平行移動可能に構成しているとともに、前記リンクメンバのうち一方には、その家具本体側端部から駆動リンクメンバを延伸して一体に設け、前記駆動リンクメンバの突出端を天板に接続している。そして、天板が移動すると、前記駆動リンクメンバ及びこの駆動リンクメンバと一体をなす平行リンクのリンクメンバが回動し、配線装置に対して上下に移動させる作用を加える動作変換機構を備えているものが挙げられる（例えば、特許文献１を参照）。
【特許文献１】特開２００３−１５９１２４号
【発明の開示】
【発明が解決しようとする課題】
【０００５】
ところで、特許文献１記載の構成では、天板を移動させて配線装置を天板下方に収納した状態において、駆動リンクメンバの天板側の端部、及びこの駆動リンクメンバを天板に取り付ける取付具は天板と配線装置との間に形成される配線挿通空間に位置する。このような場合、配線を行う際には、前記駆動リンクメンバ及び取付具の移動経路上に配線を行うと、配線と前記駆動リンクメンバ又は取付具が干渉するので、この前記駆動リンクメンバ及び取付具の移動経路を避けて配線を行う必要がある。すなわち、配線に用いることのできる空間が狭まる不具合が生じる。
【０００６】
そこで、本発明では、配線と動作変換機構との干渉を防ぎより広い空間を配線に用いることを目的とするものである。
【課題を解決するための手段】
【０００７】
すなわち、本発明に係る天板付き家具は、家具本体と、第１の位置と第２の位置との間を移動可能に前記家具本体に支持され、第１の位置から第２の位置へ移動することによりその上方側と下方側とを連通させる開口を形成可能な天板と、前記開口に臨む位置とその下方の収納位置との間を移動可能に設けられる配線装置と、前記天板の第１の位置から第２の位置への移動動作に連動させて前記配線装置を前記収納位置から前記開口に臨む位置へ移動させる動作変換機構と、前記開口が形成される位置と前記配線装置との間に形成される配線挿通空間とを具備するものであって、前記動作変換機構が、前記家具本体の所定位置に設定した支点と前記配線装置に設けられる第１の作用点とを接続する第１アームとこの第１アームから突出させて設けられる第２アームとを有する第１リンクメンバと、一端部をこの第１リンクメンバの第２アームに接続し、他端部を天板側に設けられ前記配線挿通空間外に位置する第２の作用点に接続している第２リンクメンバとを備えていることを特徴とする。
【０００８】
このような構成のものであれば、上述した特許文献１記載の構成と異なり、前記第２の作用点を配線挿通空間外に位置させ、前記第１リンクメンバと前記第２の作用点とを接続する第２リンクメンバを設けているので、配線を行う際に前記第２の作用点及びその移動系路上を避ける必要がなくなり、配線挿通空間の全体を配線に用いることができるようになるので、配線をより容易に行うことができるようになる。
【０００９】
前記第１リンクメンバの前記第２アームを、前記第１アームの第１の作用点側の端部から突出させて設けているものであれば、天板を第２の位置に移動させた状態でこの第２アームを天板に略沿った状態にすることができ、ワゴンを天板下方に配置する際にその後上端部を前記第２アーム下方の空間に位置付け、より深い位置までワゴンを入れることができるようになる。
【００１０】
さらに、前記第１リンクメンバの前記第２アームを、前記支点を中心とし、前記支点と前記第１の作用点との間の距離を半径とする円弧に沿う形状に形成しているものであれば、前記第２アームは前記円弧に沿って移動し、前記第１リンクメンバがその外側にはみだすことがないので、この第２アームが配線に干渉する不具合の発生を抑えることができる。
【００１１】
また、前記第１リンクメンバの前記第１アームと、この第１アームに略平行に延伸する第３リンクメンバとを備える平行リンクを形成し、この平行リンクにより前記配線装置を家具本体に対して上下方向に平行移動可能にしているものであれば、前記配線装置は姿勢を保ったまま昇降するので、配線装置が傾斜することにより配線が配線装置から離脱してしまう不具合の発生を防げる。
【００１２】
動作変換機構が、前記天板の下方に配置されて外部から隠蔽されているものであれば、このような動作変換機構を設けた天板付き家具の見栄えを整えることができる。
【００１３】
このような天板付き家具の好適な使用態様として、前記家具本体が、左右１対に設けられて天板を支持する脚体と、前記配線挿通空間と前記脚体の外側方空間とを連通させる配線挿通口とをさらに有するものが挙げられる。このようなものであれば、前記配線挿通空間に配置した配線を前記配線挿通口に挿通させて前記脚体の外側方空間に導出させることができるとともに、配線装置の昇降の際にこのような配線が動作変換機構と干渉しないからである。
【００１４】
さらに、前記天板の移動に伴い形成される開口と前記配線挿通口とを連通させているものであれば、前記開口を形成した状態で、配線装置から前記脚体の外側方空間に導出される配線を容易に行うことができるようになる。
【００１５】
なお、本明細書中でいうところの天板という概念とは、その上面に物品を載置可能な板体全てを指し、棚板等も含むものである。
【００１６】
さらに、本明細書中でいうところの配線装置とは、コンセント等の配線具や、前記配線具を載せ置いたり配線を案内したりできる配線ダクト等を含むものである。
【発明の効果】
【００１７】
動作変換機構が、家具本体の所定位置に設定した支点と前記配線装置に設けられる第１の作用点とを接続する第１アームとこの第１アームから突出させて設けられる第２アームとを有する第１リンクメンバの他に、一端部をこの第１リンクメンバの第２アームに接続している第２リンクメンバを備え、この第２リンクメンバの他端部を天板側に設けられ前記配線挿通空間外に位置する第２の作用点に接続しているので、配線を行う際に前記第２の作用点及びその移動系路上を避ける必要がなくなり、配線挿通空間の全体を利用して配線をより容易に行うことができるようになる。
【発明を実施するための最良の形態】
【００１８】
以下、本発明の一実施形態について図面を参照して説明する。
【００１９】
本実施形態に係る家具である机１は、正面図を図１、側面図を図２にそれぞれ示すように、家具本体である脚構造体１１と、この脚構造体１１に使用位置と引き出し位置との間でスライド移動可能に支持される天板１２と、配線装置３と、動作変換機構４と、配線挿通空間Ｓとを具備する。
【００２０】
前記脚構造体１１は、左右１対に設けられ、天板１２の側端部をそれぞれ支持する脚体１３と、前記天板１２の後方に形成される補強部１４と、後端部に位置し、この机１の背面を形成する幕板１５とを具備する。
【００２１】
前記天板１２は、その下面両側端部に、天板１２の下面に当接する当接部と、当接部から略鉛直下方に屈曲して設けられる取付部とを有する取付部材１６を取り付けている。この取付部材１６と前記脚体１３との間には、図示はしないがボールサスペンションを形成していて、このボールサスペンションにより天板１２を前後方向にスライド移動可能に案内するようにしている。
【００２２】
また、この机１は、図２中の想像線に示すように、天板１２を前記使用位置から引き出し位置へ移動させることにより天板１２の上方側と下方側とを連通させる開口２を反使用端１２ａ側に形成するものであり、前記天板１２の前後方向へのスライド移動動作を利用して開口２の開閉動作を行うようにしている。すなわち、前記開口２は、前記天板１２を使用位置から引き出し位置に移動させた場合に、前記補強部１４の前縁部１４ａと前記天板１２の後縁部である反使用端１２ａとの間に形成されるようにしている。なお、天板１２を前記使用位置に位置させた状態の前記図１におけるａ−ａ断面のこの開口２が形成される部位付近を拡大して示した図を図３、天板１２を前記引き出し位置に位置させた状態の前記図３に対応する図を図４に示す。また、前記図４には、前記使用位置に位置する天板１２を想像線により示している。
【００２３】
両側の脚体１３の後上端部には、前記図２、図３及び図４に示すように、配線挿通口１３ｘを設け、この配線挿通口１３ｘを介して、前記配線挿通空間Ｓを、その外側方の空間と連通させている。また、前記開口２が形成された際には、この開口２と前記配線挿通口１３ｘとが連通するようにしている。
【００２４】
しかして、本実施形態では、天板１２と脚体１３との係合の態様を示す概略図である図８に示すように、天板１２の下面の両側端部の奥行き方向所定位置には、第１のラッチ爪９１と第２のラッチ爪９２とをそれぞれ有し、側面図を図５、底面図を図６、分解斜視図を図７に示すような前ラッチ装置９を１対設けているとともに、第１のラッチ爪９１と第２のラッチ爪９２とをそれぞれ有する後ラッチ装置９０を前記前ラッチ装置９から後方に所定距離離間させて両側端部に１対設けている。脚体１３の上面には、前記第１のラッチ爪９１と密に係合可能な第１の被係合部及び第２のラッチ爪９２と密に係合可能な第２の被係合部を有する前係止穴１３ａと、この前係止穴１３ａから後方に所定距離離間し、前記第１のラッチ爪９１と密に係合可能な第１の被係合部を有する中係止穴１３ｂと、この中係止穴１３ｂから後方に所定距離離間し、前記第２のラッチ爪９２と密に係合可能な第２の被係合部を有する後係止穴１３ｃとを設けている。なお、前記図８において、天板１２を前記使用位置に係止している状態を（ａ）、天板１２が前記引き出し位置に係止している状態を（ｂ）にそれぞれ示している。
【００２５】
具体的には、前記前ラッチ装置９は、前記図５〜図７に示すように、第１のラッチ爪９１と、第２のラッチ爪９２と、これら第１及び第２のラッチ爪９１、９２を収納するケース９４と、これら第１及び第２のラッチ爪９１、９２をケース９４に枢着する軸部材９３と、外部からの操作力を受けて前記第１のラッチ爪９１及び第２のラッチ爪９２を駆動し天板１２の移動を禁止している状態を解除する係合解除部９５とを有する。
【００２６】
前記第１のラッチ爪９１は、略扇形に形成していて、前記軸部材９３を挿通させる軸挿通孔９１ａを後端部に設けているとともに、この軸挿通孔９１ａの中心を扇形の円弧の中心としている。また、前記扇形の円弧の部分に第１当接面９１ｂ、前記第１当接面の下端と前記軸挿通孔９１ａとを結ぶ半径の部分に第２当接面９１ｃを形成している。そして、前記軸挿通孔９１ａと反対側の端部には、突部９１１を設けている。一方、第２のラッチ爪９２は、奥行き方向中央部に軸挿通孔９２ａを設けていて、軸挿通孔９２ａの後方に略扇形をなす爪部９２１を形成しているとともに、軸挿通孔９２ａの前方には被駆動部９２２を形成している。また、爪部９２１には、前記扇形の円弧の部分に第１当接面９２ｂ、前記第１当接面の下端と前記軸挿通孔９１ａとを結ぶ半径の部分に第２当接面９２ｃを形成している。そして、これら第１のラッチ爪９１及び第２のラッチ爪９２は、図示しない係合付勢手段たるねじりコイルばねにより脚体１３に係合する方向、すなわち下方に向かう作用を受けている。そして、その下方に前係止穴１３ａ又は中係止穴１３ｂがあればこれと係合する。すなわち、前記前係止穴１３ａは、前記第１のラッチ爪９１の第１当接面９１ｂに当接する第１起立面１３ａ１と、前記第１のラッチ爪９１の第２当接面９１ｃに当接する第１傾斜面１３ａ２と、前記第２のラッチ爪９２の第１当接面９２ｂに当接する第２起立面１３ａ３と、前記第２のラッチ爪９２の第２当接面９２ｃに当接する第２傾斜面１３ａ４とを有する。一方、中係止穴１３ｂは、前記第１のラッチ爪９１の第１当接面９１ｂに当接する起立面１３ｂ１と、前記第１のラッチ爪９１の第２当接面９１ｃに当接する傾斜面１３ｂ２とを有する。
【００２７】
前記軸部材９３は、板状をなし、前記第１のラッチ爪９１の突部９１１に当接する当たり板部９３１と、前記第１のラッチ爪９１及び第２のラッチ爪９２に挿通する連結軸９３２と、後述する操作部９９に接続する接続部９３３とを有する。また、カバー９４は、本実施形態では第１のカバー要素９４ａと、第２のカバー要素９４ｂとからなり、第２のカバー要素９４ｂに設けた突条９４ｂ１を第１のカバー要素９４ａに挿入して組み立てられる。
【００２８】
前記係合解除部９５は、外部からの操作力を受けて第１のラッチ爪９１を駆動する第１駆動部と、前記第２のラッチ爪９２を前記第１のラッチ爪９１と連動して駆動させる第２駆動部とを有する。ここで、前記図５中において、この係合解除部９５が作動していない状態を（ａ）、この係合解除部９５が作動している状態を（ｂ）に示している。前記第１駆動部は、前記軸部材９３の当たり板部９３１と、この当たり板部９３１に当接する前記第１のラッチ爪９１の突部９１１とを用いて構成している。一方、前記第２駆動部は、前記第１のラッチ爪９１の突部に当接する第１アーム９６１及び前記第２のラッチ爪９２に設けた被駆動部９２２に当接する第２アーム９６２とを同一の軸部９６３から突出させて設けている押圧アーム９６と、前記第１のラッチ爪９１の突部９１１と、前記第２のラッチ爪９２に設けた被駆動部９２２とを用いて構成している。そして、前記第１のラッチ爪９１には、この押圧アーム９６と干渉しないようにすべく切り欠き９１ｘを設けている。また、前記押圧アーム９６は、軸部９６３をケース９４の所定位置に回動可能に支持させている。
【００２９】
一方、後ラッチ装置９０は、第１のラッチ爪９１と、第２のラッチ爪９２と、これら第１及び第２のラッチ爪９１、９２を収納するケース９４と、これら第１及び第２のラッチ爪９１、９２をケース９４に枢着する軸部材９３と、外部からの操作力を受けて前記第１のラッチ爪９１及び第２のラッチ爪９２を駆動し該天板の移動を禁止している状態を解除する係合解除部とを有する。第１のラッチ爪９１、第２のラッチ爪９２、ケース９４、及び軸部材９３は、前記前ラッチ装置９におけるものと同一の構成を有する。また、これも前ラッチ装置９と同様に、前記第１のラッチ爪９１及び第２のラッチ爪９２は、図示しない係合付勢手段たるねじりコイルばねにより脚体１３に係合する方向、すなわち下方に向かう作用を受けている。そして、その下方に中係止穴１３ｂ又は後係止穴１３ｃがあればこれと係合する。すなわち、後係止穴１３ｃは、前記第２のラッチ爪９２の第１当接面９２ｂに当接する起立面１３ｃ１と、前記第２のラッチ爪９２の第２当接面９２ｃに当接する傾斜面１３ｃ２とを有する。
【００３０】
係合解除部は、前記前ラッチ装置９におけるものと異なり、以下に述べるようにケース９４、軸部材９３、及び第１のラッチ爪９１又は第２のラッチ爪９２を協働させて構成している。すなわち、ケース９４及び軸部材９３を介して第１のラッチ爪９１が天板１２を移動させる操作力を受けると、この第１のラッチ爪９１の第２当接面９１ｃが中係止穴１３ｂの傾斜面１３ｂ２に案内されて上方に移動することにより、前記第１のラッチ爪９１と中係止穴１３ｂとの係合を解除するようにしている。また、第２のラッチ爪９２がケース９４及び軸部材９３を介して天板１２を移動させる操作力を受けると、この第２のラッチ爪９２の第２当接面９２ｃが後係止穴１３ｃの傾斜面１３ｃ２に案内されて上方に移動することにより、前記第２のラッチ爪９２と後係止穴１３ｃとの係合を解除するようにしている。
【００３１】
そして、図８に前記ラッチ装置９、９０と係止穴１３ａ〜１３ｃとの係合の概略を示す。この図８において、（ａ）は天板２を使用位置に係止した状態、（ｂ）は引き出し位置に係止した状態を示す。天板１２が前記使用位置に係止されている場合には、前ラッチ装置９の第１のラッチ爪９１と前記中係止穴１３ｂとが略密に係合しているとともに、後ラッチ装置９０の第２のラッチ爪９２と前記後係止穴１３ｃとが略密に係合している。一方、天板１２が前記引き出し位置に係止されている場合には、前記前ラッチ装置９の第１のラッチ爪９１及び第２のラッチ爪９２と前係止穴１３ａとが略密に係合しているとともに、前記後ラッチ装置９０の第１のラッチ爪９１と前記中係止穴１３ｂとが略密に係合している。
【００３２】
さらに、この天板１２には、前記ラッチ装置９の係合解除部を機能させるよう促す操作部９９を設けている。この操作部９９は、図８に示すように、天板１２の所定位置、一例として下面の使用端縁近傍に設けられるつまみ９９１と、前記前ラッチ装置９側に取り付けられるリンク板９９３と、前記つまみ９９１と前記リンク板９９３とを接続するリンク機構９９２とを有し、つまみ９９１を図８の矢印方向に操作するとリンク機構９９２及びリンク板９９３もまた図８の矢印方向に移動し、前ラッチ装置９の係合解除部９５を直接作動させるようにしている。また、前ラッチ装置９の係合解除部９５を作動させてから天板１２に使用位置から引き出し位置へ、または引き出し位置から使用位置へ移動させる操作力を加えることにより、上述したように後ラッチ装置９０の係合解除部を作動させることができるようにしている。そして、以上前ラッチ装置９、後ラッチ装置９０、操作部９９、及び係止穴１３ａ〜１３ｃが協働して、図８に示すような天板１２を係止するラッチ機構ＲＭとして機能するようにしている。
【００３３】
すなわち、前記天板１２は、使用位置と、引き出し位置とにラッチ機構ＲＭにより選択的に係止されるとともに、これらの間をスライド移動可能に構成されている。
【００３４】
このような構成の机１において、本実施形態では、前記図２、図３、及び図４に示すように、配線装置３を前記天板１２の反使用端１２ａ側に設けている。この配線装置３は、前記図２、図３、及び図４に示すように、その長手方向を前記天板１２の幅方向と略一致させて位置する断面略上向きコの字形の配線ダクト３１を主体として構成されており、この配線ダクト３１にコンセント等の配線具（図示略）を載せ置いたり、配線類を沿わせたりするようにしている。
【００３５】
前記動作変換機構４は、天板１２の移動に伴う前記開口２の開閉動作を前記配線装置３の昇降動作に変換し、前記天板１２を使用位置から引き出し位置へ移動させて前記開口２を開成させる際に前記配線装置３を開口２に臨む位置に移動させるようにしているとともに、前記天板１２を引き出し位置から使用位置へ移動させて前記開口２を閉止させる際に前記配線装置３を配線挿通空間Ｓに収納するようにしている。この動作変換機構４は、前記配線ダクト３１の下方に設けられた支持体３２を介して前記配線装置３と関連付けられている。そして、前記開口２が形成される位置と前記配線装置との間に、前記配線挿通空間Ｓを形成している。
【００３６】
また、本実施形態では、動作変換機構４は、前記天板１２の反使用端１２ａ側において、その左右端部に設けてある左右に対をなすもので、第１リンクメンバ４１と第２リンクメンバ４２とを備えている。
【００３７】
前記第１リンクメンバ４１は、前記脚構造体１１の所定位置、具体的には前記脚体１３の所定位置に設定した支点４ａと前記配線装置３に設けられる第１の作用点４ｂとを接続する第１アーム４１１と、この第１アーム４１１の第１の作用点４ｂ側の端部から、前記支点４ａを中心としこの支点４ａと第１の作用点４ｂとの距離を半径とする円弧に沿う形状に突出して設けられる第２アーム４１２とを有する。
【００３８】
一方、前記第２リンクメンバ４２は、一端部を前記第１リンクメンバ４１の第２アーム４１２の突出端に接続し、他端部を天板１２側、具体的には前記取付部材１６に設けられ前記配線挿通空間Ｓ外に位置する第２の作用点４ｃに接続している。
【００３９】
さらに、前記第１リンクメンバ４１の第１アーム４１１と平行に延伸する第３リンクメンバ４３を設けていて、前記第１アーム４１１と前記第３リンクメンバ４３とにより平行リンク４４を形成している。前記第３リンクメンバ４３は、具体的には前記支点４ａから下方に所定距離離間した第２支点４ｘと、前記第１の作用点４ｂから下方に所定距離離間した第３作用点４ｙとを接続する略棒状をなす部材で、この第３リンクメンバ４３と前記第１アーム４１１とが協働して配線装置３の移動の際にその姿勢を保持させている。
【００４０】
また、本実施形態では、前記第１リンクメンバ４１の支点４ａと、前記第３リンクメンバの第２支点４ｘとは、想像線により示すリンクカバー４５により保護されている。このリンクカバー４５は、天板１２の下方に図示しないワゴンを配置する際、このワゴンの後面に当接してワゴンの前後方向の位置決めを行う機能をも有する。
【００４１】
次に、前記動作変換機構４を介して前記天板１２を前後方向に移動させるとともに前記配線装置本体３を上下方向に移動させる場合の動作について前記図２、図３、図４、及び図８を利用して説明する。
【００４２】
まず、天板１２を前記使用位置に係止した状態では、前記図２及び図３に示すように、前記開口２は、閉止しており、前記配線装置３は、配線挿通空間Ｓに収納され外部から隠蔽されている。
【００４３】
このような状態からコンセント等の配線具（図示略）を前記開口２に臨む位置に上昇させて配線作業等を行う場合には、まず、操作部９９のつまみ９９１を前方へ引く。すると、前ラッチ装置９の係合解除部９５が機能する。具体的には、操作部９９のリンク機構９９２及びリンク板９９３を介して前ラッチ装置９の軸部材９３に回転力が与えられ、この軸部材９３の当たり板部９３１が第１のラッチ爪９１の突部９１１を上方に押圧して、前記第１のラッチ爪９１と中係止穴１３ｂとの係合が解除される。このとき、前記天板１２を前方へ引く操作力を加えると、後ラッチ装置９０の係合解除部が機能する。すなわち、第２のラッチ爪９２が前記後係止穴１３ｃの傾斜面１３ｃ２に案内されて上方に退避することによりこれら第２のラッチ爪９２と前記後係止穴１３ｃとの係合が解除され、この天板１２の前方への移動が可能になる。そして、天板１２を引き出し位置まで移動させると、前記ねじりコイルばねの作用により前記中係止穴１３ｂと後ラッチ装置９０の第１のラッチ爪９１とが係合するとともに、前ラッチ要素９の第１及び第２のラッチ爪９１、９２が前係止穴１３ａと係合する。すると、図２の想像線及び図４の実線に示すように、開口２が開成し、前記配線装置３は前記動作変換機構４を介して前記開口２に臨む位置まで上昇する。具体的には、前記天板１２の前方への移動動作に伴って、前記天板１２を前方へ移動させる操作力が、前記第２の作用点４ｃから第２リンクメンバ４２に伝わり、さらに第１リンクメンバ４１の第２アーム４１２を前上方に引き上げる作用に変換される。そして、前記第１リンクメンバ４１が支点４ａを中心として回転し、前記配線装置３が図４で示すような前記開口２に臨む位置に上昇する。そして、この位置で配線具（図示略）の差込口にプラグを差し込み、また配線装置３に配線を収納して必要に応じて配線挿通口１３ｘから机１外側方の空間に該配線を延出させる等の配線作業を行う。なお、この配線装置３は、前記天板１２と動作変換機構４を介して接続されているので、前記天板１２が引き出し位置に係止されている際には、この配線装置３は図４の実線に示すような前記開口２に臨む位置にとどまる。
【００４４】
一方、配線作業後、前記配線装置３を配線挿通空間Ｓに収納する場合には、まず、操作部９９のつまみ９９１を前方へ引く。すると、前ラッチ装置９の係合解除部９５が機能する。具体的には、操作部９９のリンク機構９９２及びリンク板９９３を介して前ラッチ装置９の軸部材９３に回転力が与えられ、この軸部材９３の当たり板部９３１が前ラッチ装置９の第１のラッチ爪９１の突部９１１を上方に押圧して、前記第１のラッチ爪９１と前記前係止穴１３ａとの係合が解除される。さらに、前記第１のラッチ爪９１の突部９１１により押圧レバー９６の第１アーム９６１が押圧され、これと連動して押圧レバー９６の第２アーム９６２が第２のラッチ爪９２の被駆動部９２２を下方に押圧して爪部９２１を上動させることで前記第２のラッチ爪９２と前記前係止穴１３ａとの係合が解除される。このとき、前記天板１２を後方に押す操作力を加えると、後ラッチ装置９０の係合解除部が作動する。すなわち、第１のラッチ爪９１が前記中係止穴１３ｂの傾斜面１３ｂ２に案内されて上方に退避することによりこれら第１のラッチ爪９１と前記中係止穴１３ｂとの係合が解除され、この天板１２は後方への移動が可能になる。そして、天板１２を使用位置まで移動させると、前記ねじりコイルばねの作用により前記後係止穴１３ｃと後ラッチ装置９０の第２のラッチ爪９２とが係合するとともに、前ラッチ装置９の第１のラッチ爪９１が中係止穴１３ｂと係合する。すると、前記開口２が閉止するとともに、前記配線装置３は、前記動作変換機構４を介して前記開口２の下方の収納位置へと下降する。具体的には、前記天板１２の後方への移動動作に伴って、前記第２リンクメンバ４２が押し込まれ、それにつれて前記第１リンクメンバ４１が配線装置３の荷重を受けて該配線装置３を収納位置に向けて下降させるべく回動する。そして、配線装置３は、前記配線収納位置へ下降し、外部から隠蔽される。
【００４５】
なお、本実施形態では、配線挿通口１３ｘの縁部に、カバー体１３ｙを設けていて、このカバー体１３ｙを脚体１３の内面よりも内方に延伸している。さらに、このカバー体１３ｙの延伸端部は下方に突出させている。そして、前記第１リンクメンバ４１はこのカバー体１３ｙの延伸端の外方を移動するようにし、配線と前記第１リンクメンバ４１との干渉を防ぐようにしている。
【００４６】
以上に述べたように、本実施形態では、前記動作変換機構４が、前記机本体１の所定位置に設定した支点４ａと前記配線装置３に設けられる第１の作用点４ｂとを接続する第１アーム４１１とこの第１アーム４１１から突出させて設けられる第２アーム４１２とを有する第１リンクメンバ４１の他に、一端部をこの第１リンクメンバ４１の第２アーム４１２に接続し、他端部を天板１２側に設けられ前記配線挿通空間Ｓ外に位置する第２の作用点４ｃに接続している第２リンクメンバ４２とを備えているので、配線を行う際に前記第２の作用点及びその移動系路上を避ける必要がなくなる。従って、配線挿通空間Ｓの全体を配線に用いることができるようになるので、配線をより容易に行うことができるようになる。
【００４７】
特に、前記第１リンクメンバ４１の前記第２アーム４１２を、前記第１アーム４１の第１の作用点４ｂ側の端部から突出させて設けているので、天板１２を引出し位置に移動させた状態でこの第２アーム４１２を天板１２に略沿った状態にすることができ、ワゴンを天板１２下方に配置する際にその後上端部を前記第２アーム４１２下方の空間に位置付け、より深い位置までワゴンを入れることができるようになる。
【００４８】
さらに、前記第１リンクメンバ４１の前記第２アーム４１２を、前記支点４ａを中心とし、前記支点４ａと前記第１の作用点４ｂとの間の距離を半径とする円弧に沿う形状に形成しているので、前記第２アーム４１２は前記円弧に沿って移動し、前記第１リンクメンバ４１がその外側にはみだすことがないので、この第２アーム４１２が配線に干渉する不具合の発生を抑えることができる。
【００４９】
また、前記第１リンクメンバ４１の前記第１アーム４１１と、この第１アーム４１１に略平行に延伸する第３リンクメンバ４３とを備える平行リンクを形成し、この平行リンクにより前記配線装置３を机本体１に対して上下方向に平行移動可能にしているので、前記配線装置３は姿勢を保ったまま昇降し、従って配線装置３が傾斜することにより配線が配線装置３から離脱してしまう不具合の発生を防げる。
【００５０】
また、動作変換機構４が、前記天板１２の下方に配置されて外部から隠蔽されているので、このような動作変換機構４を設けた机１の見栄えを整えることができる。
【００５１】
さらに、机１の脚構造体１１が、左右１対に設けられて天板１２を支持する脚体１３と、前記配線挿通空間Ｓと前記脚体１１の外側方空間とを連通させる配線挿通口１３ｘとをさらに有するので、前記配線挿通空間Ｓに配置した配線を前記配線挿通口１３ｘに挿通させて前記脚体１３の外側方空間に導出させることができるとともに、配線装置３の昇降の際にこのような配線が動作変換機構４と干渉しないようにできる。
【００５２】
そして、前記天板１２を移動させて形成する開口２と前記配線挿通口１ｘとを連通させているので、前記開口２を形成した状態で、配線装置３から前記脚体１３の外側方空間に導出される配線を容易に行うことができるようになる。
【００５３】
なお、本発明における構成は、以上説明したものに限定されないのは勿論である。例えば、本実施の形態では、前記天板１２と補強部１４との間に開口２が形成されるようにしているが、これに限定されず、天板に直接、開口を設けるようにしてもよい。さらに、本実施の形態では、前記開口を天板の反使用端側において左右両端を配線挿通口と連通させて開放した状態で設けているが、これに限定されず、天板の奥行方向中間位置や幅方向中間位置等に左右両端を閉塞した状態で設けるようにしてもよい。さらに、開口に設けた蓋部材を適宜の手段により開閉させることにより、配線装置本体が上下方向に移動するようなものであってもよい。その他の構成も本発明の趣旨を逸脱しない範囲で種々変形が可能である。
【図面の簡単な説明】
【００５４】
【図１】本発明の一実施形態に係る天板付き家具の正面図。
【図２】同実施形態に係る天板付き家具の側面図。
【図３】図１におけるａ−ａ断面の要部の拡大図。
【図４】天板を引き出し位置に係止した状態における図１に対応する図。
【図５】同実施形態に係るラッチ装置の側面図。
【図６】同実施形態に係るラッチ装置の底面図。
【図７】同実施形態に係るラッチ装置の分解斜視図。
【図８】同実施形態に係る天板のラッチ装置と係止穴との係合の状態を示す概略図。
【符号の説明】
【００５５】
１…机（天板付き家具）
１１…脚構造体（家具本体）
１２…天板
１３…脚体
１３ｘ…配線挿通口
２…開口
３…配線装置
４…動作変換機構
４１…第１リンクメンバ
４１１…第１アーム
４１２…第２アーム
４２…第２リンクメンバ
４３…第３リンクメンバ
４４…平行リンク
４ａ…支点
４ｂ…第１の作用点
４ｃ…第２の作用点
Ｓ…配線挿通空間
【図１】
2005052495.tif 000003
【図２】
2005052495.tif 000004
【図３】
2005052495.tif 000005
【図４】
2005052495.tif 000006
【図５】
2005052495.tif 000007
【図６】
2005052495.tif 000008
【図７】
2005052495.tif 000009
【図８】
2005052495.tif 000010